(57)【特許請求の範囲】
【請求項１】
液晶層を挟んで対向する透明基板の一方の透明基板の内面側に透明電極および配向膜を該一方の透明基板側から順に設け、他方の透明基板の内面側に透明電極および配向膜を該他方の透明基板側から順に設けるとともに前記他方の透明基板の外面側に２枚の位相差板および偏光板を前記他方の透明基板側から順に設けてなり、
前記液晶層がその厚さ方向に２４０度ないし２５０度ねじれた螺旋構造を持ち、前記液晶層の液晶の屈折率異方性Δｎと液晶層の厚さｄとの積Δｎｄが７００ｎｍないし８００ｎｍであり、かつ前記偏光板の偏光軸αは表示面の底辺に沿った方向Ｘ1に対してなす角度が光の入射側から見て反時計周りに４０度ないし６５度または１３０度ないし１５５度であり、かつ前記偏光板に隣接した方の位相差板の遅相軸γは前記表示面の底辺に沿った方向Ｘ1に対してなす角度が光の入射側から見て反時計周りに１１０度ないし１３５度であり、かつ他方の透明基板に隣接した方の位相差板の遅相軸βは前記表示面の底辺に沿った方向Ｘ1に対してなす角度が光の入射側から見て反時計周りに７５度ないし１００度であり、かつ前記他方の透明基板側の配向膜の配向方向ａは前記表示面の底辺に沿った方向Ｘ1に対してなす角度が光の入射側から見て反時計周りに２５度ないし４０度または２０５度ないし２２０度であり、かつ前記一方の透明基板側の配向膜の配向方向ｂは前記表示面の底辺に沿った方向Ｘ1に対してなす角度が光の入射側から見て反時計周りに１４０度ないし１５５度または３２０度ないし３３５度に設定されており、
他方の透明基板に隣接した方の位相差板の位相差Ｒ1が液晶層Δｎｄの２０％ないし３０％の値であり、偏光板に隣接した方の位相差板の位相差Ｒ2が液晶層Δｎｄの４５％ないし６０％の値であることを特徴とする反射型液晶表示装置。
【発明の詳細な説明】
【０００１】
【発明の属する技術分野】
本発明は、表示面のコントラストが良好な範囲が狭くなることや色付きのない範囲が狭いことを改善でき、視野角依存性を低減できる反射型液晶表示装置に関する。
【０００２】
【従来の技術】
一般に、液晶表示装置の表示形態には、バックライトを備えた半透過型、透過型と呼ばれるものと、反射型と呼ばれるものがある。反射型液晶表示装置は、太陽光、照明光等の外光だけを利用してバックライト無しで表示する液晶表示装置であり、例えば薄型で、軽量化、低消費電力が要求される携帯情報端末等に多く用いられている。
【０００３】
図１２は、従来一般の反射型液晶表示装置の概略構成を示す断面図であるが、この装置は、特に単純マトリクス方式のＳＴＮ型の液晶表示装置の例である。
この反射型液晶表示装置は、下側偏光板７０付きの反射板７１の下側偏光板７０上に、反射モードＳＴＮ（Super-Twisted Nematic）方式用の液晶セル７２、 位相差板７３が下部偏光板７０側から順に積層され、さらにこの位相差板７３上に上側偏光板７４が積層された概略構成となっている。
上記液晶セル７２は、下側ガラス基板７５、カラーフィルタ７６、下側透明電極層７８、下側配向膜７９、この下側配向膜７９と隙間を隔てて対向配置された上側配向膜８０、上側透明電極層８１、上側ガラス基板８２を下側偏光板７０側から順に積層され、上記下側及び上側の配向膜７９，８０間にＳＴＮ液晶層８３が配設された概略構成となっている。カラーフィルタ７６と下側透明電極層７８との間には、シリカやアクリル樹脂からなるオーバーコート層（図示略）が設けられている。
上記位相差板７３は、ＳＴＮ液晶を透過する光の位相差を補償することにより表示が青や黄色に着色するのを防止するためのものである。
【０００４】
【発明が解決しようとする課題】
ところで、液晶表示装置の表示性能としては、通常、▲１▼解像度、▲２▼コントラスト、▲３▼画面の明るさ、▲４▼色の鮮やかさ、▲５▼視野角範囲が広い等の視認性、などが良好であることが要求される。
しかしながら、従来の反射型液晶表示装置においては、携帯情報端末等の表示部に適用した場合に、表示面（画面）のコントラストが良好な範囲が狭く、しかも色付きのない範囲が狭いため、表示面の視野角が狭く、視野角依存性が大きいという問題があった。
【０００５】
本発明は、上記事情に鑑みてなされたもので、表示面のコントラストが良好な範囲が狭くなることや色付きのない範囲が狭いことを改善でき、視野角依存性を低減できる反射型液晶表示装置を提供することにある。
【０００６】
【課題を解決するための手段】
本発明は、液晶層を挟んで対向する透明基板の一方の透明基板の内面側に透明電極および配向膜を該一方の透明基板側から順に設け、他方の透明基板の内面側に透明電極および配向膜を該他方の透明基板側から順に設けるとともに上記他方の透明基板の外面側に２枚の位相差板および偏光板を上記他方の透明基板側から順に設けてなり、上記液晶層がその厚さ方向に２４０度ないし２５０度ねじれた螺旋構造を持ち、上記液晶層の液晶の屈折率異方性Δｎと液晶層の厚さｄとの積Δｎｄが７００ｎｍないし８００ｎｍであり、かつ上記偏光板の偏光軸αは表示面の底辺に沿った方向Ｘ1に対してなす角度が光の入射側から見て反時計周りに４０度ないし６５度または１３０度ないし１５５度であり、かつ上記偏光板に隣接した方の位相差板の遅相軸γは上記表示面の底辺に沿った方向Ｘ1に対してなす角度が光の入射側から見て反時計周りに１１０度ないし１３５度であり、かつ他方の透明基板に隣接した方の位相差板の遅相軸βは上記表示面の底辺に沿った方向Ｘ1に対してなす角度が光の入射側から見て反時計周りに７５度ないし１００度であり、かつ上記他方の透明基板側の配向膜の配向方向ａは上記表示面の底辺に沿った方向Ｘ1に対してなす角度が光の入射側から見て反時計周りに２５度ないし４０度または２０５度ないし２２０度であり、かつ上記一方の透明基板側の配向膜の配向方向ｂは上記表示面の底辺に沿った方向Ｘ1に対してなす角度が光の入射側から見て反時計周りに１４０度ないし１５５度または３２０度ないし３３５度に設定されており、他方の透明基板に隣接した方の位相差板の位相差Ｒ1が液晶層Δｎｄの２０％ないし３０％の値であり、偏光板に隣接した方の位相差板の位相差Ｒ2が液晶層Δｎｄの４５％ないし６０％の値であることを特徴とする反射型液晶表示装置を上記課題の解決手段とした。
【０００７】
本発明の反射型液晶表示装置によれば、液晶層を挟んで対向する透明基板の一方の透明基板の内面側に透明電極および配向膜を該一方の透明基板側から順に設け、他方の透明基板の内面側に透明電極および配向膜を該他方の透明基板側から順に設けるとともに上記他方の透明基板の外面側に２枚の位相差板および偏光板を上記他方の透明基板側から順に設けたことにより、用いる偏光板を１枚にした構造となり、明表示状態（白表示状態）での反射率（透過率）が高くなり、明表示が明るくなる。この結果、コントラストが高くなり、優れた表示特性が得られる。
【０００８】
また、上記の液晶層がその厚さ方向に２４０度ないし２５０度ねじれた螺旋構造を持ち、上記液晶層の液晶の屈折率異方性Δｎと液晶層の厚さｄとの積Δｎｄが７００ｎｍないし８００ｎｍであり、かつ上記偏光板の偏光軸αは表示面の底辺に沿った方向Ｘ1に対してなす角度が光の入射側から見て反時計周りに４０度ないし６５度または１３０度ないし１５５度であり、かつ他方の透明基板に隣接した方の位相差板の遅相軸βは上記方向Ｘ1に対してなす角度が光の入射側から見て反時計周りに７５度ないし１００度であり、かつ上記偏光板に隣接した方の位相差板の遅相軸γは上記方向Ｘ1に対してなす角度が光の入射側から見て反時計周りに１１０度ないし１３５度であり、かつ上記他方の透明基板側の配向膜の配向方向ａは上記方向Ｘ1に対してなす角度が光の入射側から見て反時計周りに２５度ないし４０度または２０５度ないし２２０度であり、かつ上記一方の透明基板側の配向膜の配向方向ｂは上記方向Ｘ1に対してなす角度が光の入射側から見て反時計周りに１４０度ないし１５５度または３２０度ないし３３５度に設定されたことにより、表示面のコントラストが良好な範囲が広く、しかも色付きのない範囲も広く、従って、表示面の視野角が広いものが得られる。
【０００９】
さらに、上記の反射型液晶表示装置においては、他方の透明基板に隣接した方の位相差板の位相差Ｒ1が液晶層Δｎｄの２０％ないし３０％の値であり、偏光板に隣接した方の位相差板の位相差Ｒ2は、液晶層Δｎｄの４５％ないし６０％の値であることが望ましい。
このような反射型液晶表示装置とすることで、表示面のコントラストが良好な範囲がより広くなり、しかも色付きのない範囲もより広くなり、表示面の視野角をより広くすることができる。
【００１０】
【発明の実施の形態】
以下、本発明の一実施形態について詳しく説明する。
図１は、本発明の第一の実施形態の反射型液晶表示装置が備えられた携帯情報端末の表示部の第一の実施形態を示す正面図である。
第一の実施形態の携帯情報端末の表示部は、枠体１００と、該枠体１００内に収容される第一の実施形態の反射型液晶表示装置１０１が少なくとも備えられてなるものである。この第一の実施形態の反射型液晶表示装置１０１は、横置き型のものであり、図１に示すように、使用時に表示面１０５の底辺１０２が方向Ｘ1 と平行になるような状態に設置されるものである。
【００１１】
第一の実施形態の反射型液晶表示装置１０１は、図２に示すように、液晶セル１と、該液晶セル１の上側ガラス基板（他方の透明基板）１１の外面側に第１の位相差板（他方の透明基板に隣接した方の位相差板）１４と第２の位相差板（偏光板に隣接した方の位相差板）１５と偏光板１７が上記上側ガラス基板１１側から順に設けられ、液晶セル１の下側ガラス基板（一方の透明基板）１２の外面側に反射体３０が設けられることにより概略構成されている。
上記液晶セル１は、液晶層３４を挟んで対向する上側と下側のガラス基板１１，１２の下側ガラス基板１２の内面側にカラーフィルタ１９、第１のオーバーコート２０ａ、コモン電極（透明電極）２３及び下配向膜（一方の透明基板側の配向膜）２７が下側ガラス基板１２側から順に設けられ、上側ガラス基板１１の内面側にセグメント電極（透明電極）２４、トップコート２８、上配向膜（他方の透明基板側の配向膜）２６が順に設けられた概略構成である。
【００１２】
上記上下の配向膜２６，２７は、通常使用されている透明な配向膜が用いられ、例えば、ポリイミドなどの高分子膜がラビング処理されたものである。
上配向膜２６の配向方向（ラビング方向）ａは、この実施形態では、図３に示すように光の入射側から見て反時計周りの方向を＋、時計周りの方向を−とした場合、表示面１０５の底辺１０２に沿った方向Ｘ1に対してなす角度が２５度ないし４０度または２０５度ないし２２０度の範囲、好ましくは３０度ないし３５度になるように設定されている。
また、下配向膜２７の配向方向（ラビング方向）ｂは、この実施形態では、図３に示すように表示面１０５の底辺１０２に沿った方向Ｘ1に対してなす角度が１４０度ないし１５５度または３２０度ないし３３５度の範囲、好ましくは１４５度ないし１５０度に設定されている。
なお、図中符号Ｚは、液晶セル１、第１及び第２の位相差板１４，１５及び偏光板１７の光の入射側の面にそれぞれ直交する方向（法線方向）である。
【００１３】
上記液晶層３４は、その厚さ方向に２４０度ないし２５０度ねじれた螺旋構造を持つものであり、上側と下側ガラス基板１１，１２の内側に設けられた上下の配向膜２６，２７と、これら配向膜２６，２７を所定の間隔を隔てて接合するシール材（図示略）とに囲まれた領域内に封入された常温でネマチック状態となる液晶分子からなり、この液晶分子はスーパーツイステッドネマチック（ＳＴＮ）タイプのものが用いられている。
【００１４】
上記トップコート２８は、絶縁性の確保のために設けられたもので、シリカやＺｒＯ2などの無機材料からなるものである。
上記上側ガラス基板１１は、液晶表示装置の種類によって異るが、この実施形態では、ソーダライムガラスなどからなるものである。この上側ガラス基板１１の厚みは、液晶表示装置の種類によって異るが、０．３ないし１．１ｍｍとされるのが好ましい。
上記第１のオーバーコート２０ａは、カラーフィルタ１９による凹凸を平坦化するために設けられたもので、カラーフィルタ１９と密着性の高いポリビニルアルコールやアクリル系樹脂などの有機材料からなるものである。
【００１５】
上記カラーフィルタ１９は、レッド、ブルー、グリーンの３原色の各画素が、フォトリソグラフィーや印刷法などの方法により所望のパターン通り形成されてなるものである。このカラーフィルタ１９には、上記３原色の周りに線状のブラックマトリックスがパターンニングされていてもよく、あるいは隣合う画素は一部分が重なっていてもよい。
【００１６】
上記下側ガラス基板（一方の透明基板）１２としては、液晶表示装置の種類によって異るが、この実施形態では、ナトリウムなどのアルカリ金属の酸化物を含んだソーダライムガラスなどが用いられている。この下側ガラス基板１２の厚みは、０．３ないし１．１ｍｍとされるのが好ましい。
上記反射体３０は、入射した光を反射させるとともに拡散させることにより、視野角を大きくするためのものである。
この第一の実施形態の反射型液晶表示装置における反射体３０は、上記下側ガラス基板１２の外側に配置したガラス基板３５の凹凸を有する粗面の表面に形成されたＡｌ膜やＡg膜等の金属膜からなるものである。
ここでの反射体３０は、フッ素含有のエポキシ系の材料からなる透明接着層３６により下側ガラス基板１２に接着されている。
【００１７】
上述のような液晶層３４の液晶の屈折率異方性Δｎと液晶層３４の厚さ（液晶層厚）ｄとの積Δｎｄの値は、７００ないし８００ｎｍの範囲（測定波長５８９ｎｍ）に設定されている。Δｎｄが上述の範囲外であるとコントラストが低下する、もしくは白あるいは黒表示が黄色や赤色に着色され、良好な表示が得られない。
また、上記Δｎｄは、好ましくは７２０ｎｍないし７６０ｎｍの範囲に設定されていることが、コントラストが高く、良好な白黒表示が得られる点で比較的好ましい。
【００１８】
上記第１及び第２の位相差板１４，１５は、１または２軸延伸したポリビニルアルコールや、ポリカーボネートのフィルムなどからなり、延伸方向が遅相軸となる。
第１の位相差板１４の位相差Ｒ1は、液晶層Δｎｄの２０％ないし３０％の範囲に設定されている。位相差Ｒ1が、上述の範囲外であると高いコントラストあるいは良好な白黒表示が得られない。位相差Ｒ1は、好ましくは、液晶層Δｎｄの２１％ないし２６％に設定されていることが、高いコントラストあるいは良好な白黒表示が得られる点で比較的好ましい。
また、第２の位相差板１５の位相差Ｒ2は、液晶層Δｎｄの４５％ないし６０％の範囲に設定されている。位相差Ｒ2が、上述の範囲外であると高いコントラストあるいは良好な白黒表示が得られない。位相差Ｒ2は、好ましくは、液晶層Δｎｄの５０％ないし６０％に設定されていることが、高いコントラストあるいは良好な白黒表示が得られる点で比較的好ましい。
【００１９】
さらに、この第１の位相差板１４は、図３に示すように、その遅相軸（光学軸）βが上記表示面１０５の底辺１０２に沿った方向Ｘ1に対してなす角度が、光の入射側から見て反時計周りに７５度ないし１００度の範囲になるように設定されている。遅相軸（光学軸）βが上述の範囲に設定されていないと、コントラストが低く、良好な白黒表示が得られない。また、遅相軸βが上記方向Ｘ1に対してなす角度は、光の入射側から見て反時計周りに８５度ないし９０度になるように設定されていることが、高いコントラストで良好な白黒表示が得られる点でより好ましい。
【００２０】
また、上記第２の位相差板１５は、図３に示すように、その遅相軸（光学軸）γが上記表示面１０５の底辺１０２に沿った方向Ｘ1に対してなす角度が光の入射側から見て反時計周りに１１０度ないし１３５度の範囲になるように設定されている。遅相軸（光学軸）γが上述の範囲に設定されていないと、高いコントラストで良好な白黒表示が得られない。また、遅相軸（光学軸）γが上記方向Ｘ1に対してなす角度は、光の入射側から見て反時計周りに１２０度ないし１２５度になるように設定されていることが、高いコントラストあるいは良好な白黒表示が得られる点でより好ましい。
【００２１】
上記偏光板１７は、図３に示すように、その偏光軸αが表示面１０５の底辺１０２に沿った方向Ｘ1に対してなす角度が光の入射側から見て反時計周りに４０度ないし６５度または１３０度ないし１５５度の範囲に設定されている。偏光板１７の偏光軸αが上述の範囲に設定されていないと、高いコントラストで良好な白黒表示が得られない。また、偏光軸αが上記方向Ｘ1に対してなす角度が光の入射側から見て反時計周りに１４０度ないし１４５度になるように設定されていることが、高いコントラストあるいは良好な白黒表示が得られる点でより好ましい。
【００２２】
この第一の実施形態の反射型液晶表示装置にあっては、上述の構造としたことにより、用いる偏光板を１枚にした構造となるので、明表示状態での反射率（透過率）が高くなり、明表示が明るくなり、この結果コントラストが高くなり、優れた表示特性が得られる。
【００２３】
また、この第一の実施形態の反射型液晶表示装置にあっては、上記液晶層３４がその厚さ方向に２４０度ないし２５０度ねじれた螺旋構造を持ち、上記液晶層３４の液晶の屈折率異方性Δｎと液晶層の厚さｄとの積Δｎｄが７００ｎｍないし８００ｎｍであり、かつ偏光板１７の偏光軸αは上記上記表示面１０５の底辺１０２に沿った方向Ｘ1に対してなす角度が光の入射側から見て反時計周りに４０度ないし６５度または１３０度ないし１５５度であり、かつ第１の位相差板１４の遅相軸βは上記方向Ｘ1に対してなす角度が光の入射側から見て反時計周りに７５度ないし１００度であり、かつ第２の位相差板１５の遅相軸γは上記方向Ｘ1に対してなす角度が光の入射側から見て反時計周りに１１０度ないし１３５度であり、かつ上配向膜２６の配向方向ａは上記方向Ｘ1に対してなす角度が光の入射側から見て反時計周りに２５度ないし４０度または２０５度ないし２２０度であり、かつ下配向膜２７の配向方向ｂは上記方向Ｘ1に対してなす角度が光の入射側から見て反時計周りに１４０度ないし１５５度または３２０度ないし３３５度に設定されたことにより、表示面１０５のコントラストが良好な範囲が広く、しかも色付きのない範囲も広く、従って、表示面１０５の視野角が広いものが得られ、視角依存性を改善することができる。
【００２４】
さらに、第一の実施形態の反射型液晶表示装置においては、第１の位相差板１４の位相差Ｒ1が液晶層Δｎｄの２０％ないし３０％であり、第２の位相差板１５の位相差Ｒ2が液晶層Δｎｄの４５％ないし６０％であるので、表示面１０５のコントラストが良好な範囲がより広くなり、しかも色付きのない範囲もより広くなり、表示面１０５の視野角をより広くすることができる。
【００２５】
なお、第一の実施形態の反射型液晶表示装置では、表示面１０５が横長である場合について説明したが、縦長のものであってもよい。また、上配向膜２６とセグメント電極２４との間にトップコート２８が介在され、コモン電極２３とカラーフィルタ１９との間に第１のオーバーコート２０ａが介在された場合について説明したが、トップコート２８、第１のオーバーコート２０ａは必ずしも設ける必要はなく、反射型液晶表示装置の種類や要求される特性に応じて適宜設けられる。
【００２６】
【実施例】
以下、本発明を実施例および比較例により、さらに具体的に説明するが、本発明はこれらの実施例のみに限定されるものではない。
（実施例）
図２および図３に示した第一の実施形態の反射型液晶表示装置（実施例１）における表示特性について調べた。
ここでの液晶セルを構成する上下の配向膜としては、ＬＩＸＯＮ  ＡＬＩＧＮＥＲ  ＰＩＡ−２５０１−Ｕ０２（商品名；チッソ石油化学株式会社製）を用い、ツイスト角が５度になるように配向処理を行った。液晶層の液晶としては、ＡＰ−４２６８ＬＥ（商品名；チッソ石油化学株式会社製）を用いた。また、液晶セルのΔｎｄ（液晶層の液晶の屈折率異方性Δｎと液晶層の厚さｄとの積）は、７５０ｎｍ（測定波長５８９ｎｍ）であった。第１の位相差板としては、ＮＲＦ−１７０（商品名；日東電工株式会社製  材質：ポリカーボネート）を用い、第２の位相差板としては、ＮＲＦ−４２５（商品名；日東電工株式会社製  材質：ポリカーボネート）を用いた。偏光板（上側偏光板）としては、ＥＧ−１２２５ＤＶ（商品名；日東電工株式会社製）を用いた。
【００２７】
そして、この実施例では、偏光板の偏光軸αが表示面の底辺に沿った方向Ｘ1に対してなす角度、第１の位相差板の遅相軸βが上記表示面の底辺に沿った方向Ｘ1に対してなす角度、第２の位相差板の遅相軸γが上記表示面の底辺に沿った方向Ｘ1に対してなす角度、上配向膜の配向方向ａが表示面の底辺に沿った方向Ｘ1に対してなす角度、下配向膜の配向方向ｂが上記表示面の底辺に沿った方向Ｘ1に対してなす角度をそれぞれ表１に示すように設定した。
【００２８】
【表１】
0003843192.tif 000002
【００２９】
表１中、液晶セルのΔｎｄの欄の数値は、液晶層の液晶の屈折率異方性Δｎと液晶層の厚さｄとの積の値、液晶セルのａの欄の数値は上配向膜の配向方向ａが表示面の底辺に沿った方向Ｘ1に対してなす角度、液晶セルのｂの欄の数値は、下配向膜の配向方向ｂが上記表示面の底辺に沿った方向Ｘ1に対してなす角度、上側偏光板のαの角度の欄の数値は、偏光板の偏光軸αが表示面の底辺に沿った方向Ｘ1に対してなす角度、第１の位相差板のＲ1の欄の数値は位相差の値、βの角度の欄の数値は第１の位相差板の遅相軸βが上記表示面の底辺に沿った方向Ｘ1に対してなす角度、第２の位相差のＲ2の欄の数値は位相差の値、γの角度の欄の数値は第２の位相差板の遅相軸γが上記表示面の底辺に沿った方向Ｘ1に対してなす角度である。なお、ここでの角度は、光の入射側から見て反時計周りの方向を＋、時計周りの方向を−とした。
【００３０】
このときの表示特性について以下のようにして調べた。
ここでの表示特性は、光源からの光（径２２ｍｍ、光速５００ルクス）を液晶セルに対して方位角３３０度の方向で、図３のＺ方向、すなわち、液晶セル１、第１の位相差板１４、第２の位相差板１５及び偏光板１７の入射側の面にそれぞれ直交する方向から１５度または３０度で入射したときの反射率およびコントラストを調べた。
その結果を図４〜図７に示す。
図４は、光を１５度で入射したときの反射率を示す図、図５は、光を１５度で入射したときのコントラストを示す図、図６は、光を３０度で入射したときの反射率を示す図、図７は、光を３０度で入射したときのコントラストを示す図である。
なお、図４〜図７中の縦軸は受光側の極角方向であり、中心点は、図１に示した表示面の中心点に相当する。
【００３１】
（比較例）
比較例の反射型液晶表示装置の液晶としては、ＡＰ−４２６８ＬＡ（商品名；チッソ石油化学株式会社製）を用いた。また、液晶セルのΔｎｄ（液晶層の液晶の屈折率異方性Δｎと液晶層の厚さｄとの積Δｎｄは、８１０ｎｍ（測定波長５８９ｎｍ）であった。第１の位相差板としては、ＮＲＦ−４２０（商品名；日東電工株式会社製  材質：ポリカーボネート）を用い、第２の位相差板としては、ＮＲＦ−４３０（商品名；日東電工株式会社製  材質：ポリカーボネート）を用いた。偏光板（上側偏光板）としては、ＥＧ−１２２５ＤＶ（商品名；日東電工株式会社製）を用いた。その他の材料は、上記実施例１で用いたものと同様の材料を使用した。
【００３２】
また、この比較例では、偏光板の偏光軸αが表示面の底辺に沿った方向Ｘ1に対してなす角度、第１の位相差板の遅相軸βが上記表示面の底辺に沿った方向Ｘ1に対してなす角度、第２の位相差板の遅相軸γが上記表示面の底辺に沿った方向Ｘ1に対してなす角度、上配向膜の配向方向ａが表示面の底辺に沿った方向Ｘ1に対してなす角度、下配向膜の配向方向ｂが上記表示面の底辺に沿った方向Ｘ1に対してなす角度をそれぞれ表１に示すように設定した。
【００３３】
そして、上記実施例と同様にして、反射率およびコントラストを調べた。
その結果を図８〜図１１に示す。
図８は、光を１５度で入射したときの反射率を示す図、図９は、光を１５度で入射したときのコントラストを示す図、図１０は、光を３０度で入射したときの反射率を示す図、図１１は、光を３０度で入射したときのコントラストを示す図である。
なお、図８〜図１１中の縦軸は受光側の極角方向であり、中心点は、図１に示した表示面の中心点に相当する。
【００３４】
図４と図８に示した結果および図６と図１０に示した結果を比較すると、実施例の反射型液晶表示装置は、比較例の反射型液晶表示装置よりも反射率の高い範囲が広いことがわかる。また、図５と図９に示した結果および図７と図１１に示した結果を比較すると、実施例の表示面のコントラストの大きい範囲が、比較例よりも広いことがわかる。
従って、実施例の反射型液晶表示装置によれば、表示面の視野角が広いものが得られ、視角依存性を改善できることがあきらかとなった。
【００３５】
【発明の効果】
以上説明したように本発明の反射型液晶表示装置によれば、液晶層を挟んで対向する透明基板の一方の透明基板の内面側に透明電極および配向膜を該一方の透明基板側から順に設け、他方の透明基板の内面側に透明電極および配向膜を該他方の透明基板側から順に設けるとともに上記他方の透明基板の外面側に２枚の位相差板および偏光板を上記他方の透明基板側から順に設けたことにより、用いる偏光板を１枚にした構造となり、明表示状態（白表示状態）での反射率（透過率）が高くなり、明表示が明るくなる。その結果、コントラストが高くなり、優れた表示特性が得られる。
【００３６】
また、本発明の反射型液晶表示装置は、特に、上記液晶層がその厚さ方向に２４０度ないし２５０度ねじれた螺旋構造を持ち、上記液晶層の液晶の屈折率異方性Δｎと液晶層の厚さｄとの積Δｎｄが７００ｎｍないし８００ｎｍであり、かつ上記偏光板の偏光軸αは表示面の底辺に沿った方向Ｘ1に対してなす角度が光の入射側から見て反時計周りに４０度ないし６５度または１３０度ないし１５５度であり、かつ他方の透明基板に隣接した方の位相差板の遅相軸βは上記方向Ｘ1に対してなす角度が光の入射側から見て反時計周りに７５度ないし１００度であり、かつ上記偏光板に隣接した方の位相差板の遅相軸γは上記方向Ｘ1に対してなす角度が光の入射側から見て反時計周りに１１０度ないし１３５度であり、かつ上記他方の透明基板側の配向膜の配向方向ａは上記方向Ｘ1に対してなす角度が光の入射側から見て反時計周りに２５度ないし４０度または２０５度ないし２２０度であり、かつ上記一方の透明基板側の配向膜の配向方向ｂは上記方向Ｘ1に対してなす角度が光の入射側から見て反時計周りに１４０度ないし１５５度または３２０度ないし３３５度に設定されたことにより、表示面のコントラストが良好な範囲が広く、しかも色付きのない範囲も広く、従って、表示面の視野角が広いものが得られ、視角依存性を改善することができる。
【００３７】
さらに、他方の透明基板に隣接した方の位相差板の位相差Ｒ1を液晶層Δｎｄの２０％ないし３０％とし、偏光板に隣接した方の位相差板の位相差Ｒ2を液晶層Δｎｄの４５％ないし６０％とすることで、表示面のコントラストが良好な範囲がより広くなり、しかも色付きのない範囲もより広くなり、表示面の視野角をより広くすることができる。
【図面の簡単な説明】
【図１】  本発明の反射型液晶表示装置が備えられた携帯情報端末の表示部の一実施形態を示す正面図である。
【図２】  本発明の反射型液晶表示装置をＳＴＮ型の反射型カラー液晶表示装置に適用した第一の実施形態を示す断面図である。
【図３】  第一の実施形態の反射型液晶表示装置の要部分解斜視図である。
【図４】  光を１５度で入射したときの実施例の反射率を示す図である。
【図５】  光を１５度で入射したときの実施例のコントラストを示す図である。
【図６】  光を３０度で入射したときの実施例の反射率を示す図である。
【図７】  光を３０度で入射したときの実施例のコントラストを示す図である。
【図８】  光を１５度で入射したときの従来例の反射率を示す図である。
【図９】  光を１５度で入射したときの従来例のコントラストを示す図である。
【図１０】  光を３０度で入射したときの従来例の反射率を示す図である。
【図１１】  光を３０度で入射したときの従来例のコントラストを示す図である。
【図１２】   従来の反射型液晶表示装置の概略構成を示す断面図である。
【符号の説明】
１・・・液晶セル、１１・・・上側ガラス基板（他方の透明基板）、１２・・・下側ガ ラ ス基板（一方の透明基板）、１４・・・第１の位相差板（他方の透明基板に隣接した方の位相差板）、１５・・・第２の位相差板（偏光板に隣接した方の位相差板 ）、１７・・・偏光板、１９・・・カラーフィルタ、２３・・・コモン電極（透明電極） 、２４・・・セグメント電極（透明電極）、２６・・・上配向膜（他方の透明基板側の配向膜）、２７・・・下配向膜（一方の透明基板側の配向膜）、３０・・・反射体、３４・・・液晶層、１０１・・・反射型液晶表示装置、１０２・・・底辺、１０５・・・表示面、ａ・・・配向方向、ｂ・・・配向方向、α・・・偏光軸、β・・・遅相軸 、γ・・・遅相軸。
【図１】
0003843192.tif 000003
【図２】
0003843192.tif 000004
【図３】
0003843192.tif 000005
【図４】
0003843192.tif 000006
【図５】
0003843192.tif 000007
【図６】
0003843192.tif 000008
【図７】
0003843192.tif 000009
【図８】
0003843192.tif 000010
【図９】
0003843192.tif 000011
【図１０】
0003843192.tif 000012
【図１１】
0003843192.tif 000013
【図１２】
0003843192.tif 000014